(57)【要約】【課題】  召合せ框の室内側に煙返しを有する障子の煙返しの下面を塞ぐ小口キャップの取付け強度を向上させる。【解決手段】  召合せ框の室内側に煙返しを有する障子と、障子の召合せ框の下面及び煙返しの下面を覆う小口キャップとを備え、小口キャップは、召合せ框の下面に取付けられる本体部と、煙返しの下部を覆う煙返しキャップ部と、本体部と煙返しキャップ部とを連結する立壁部とからなり、煙返しキャップ部は、煙返しの下端に係止される係止部を備えている。【選択図】  図２
2015203254.tif 000002
【特許請求の範囲】
【請求項１】
召合せ框の室内側に煙返しを有する障子と、障子の召合せ框の下面及び煙返しの下面を覆う小口キャップとを備え、
小口キャップは、召合せ框の下面に取付けられる本体部と、煙返しの下部を覆う煙返しキャップ部と、本体部と煙返しキャップ部とを連結する立壁部とからなり、
煙返しキャップ部は、煙返しの下端に係止される係止部を備えている、
ことを特徴とする建具。
【発明の詳細な説明】
【技術分野】
【０００１】
本発明は、召合せ部に煙返しを有する建具に関する。
【背景技術】
【０００２】
例えば、ドア召合せ部の煙返しに設けられた気密材と開口下枠に設けた気密材とを連続させるために、ドア召合せ部の下部に両者を連続させる起立片を有する小口キャップが取付けられたドアが知られていた。
【先行技術文献】
【特許文献】
【０００３】
【特許文献１】特許第２７７５２３４号公報
【発明の概要】
【発明が解決しようとする課題】
【０００４】
上記特許文献の小口キャップは、ドア本体の召合せ框の小口を閉塞するキャップ本体と煙返しの下面を閉塞するキャップ部とキャップ本体とキャップ部とを連結させる起立片とにより構成されているが、煙返しの下面を閉塞するキャップ部は起立片に対して片持ち状に形成されているので、室内側から人や物が引っかかることにより下方に撓んでしまう危険性があった。
さらに、最近は、小口キャップをドア本体にネジ等を用いずに爪部等による係止のみで固定することがあり、そのような場合には、小口キャップが外れてしまう危険性があった。
【０００５】
本発明は、上記事情を鑑みたものであり、煙返しの下面を塞ぐ小口キャップの取付け強度を向上させた建具を提供することを目的とする。
【課題を解決するための手段】
【０００６】
本発明は、召合せ框の室内側に煙返しを有する障子と、障子の召合せ框の下面及び煙返しの下面を覆う小口キャップとを備え、小口キャップは、召合せ框の下面に取付けられる本体部と、煙返しの下部を覆う煙返しキャップ部と、本体部と煙返しキャップ部とを連結する立壁部とからなり、煙返しキャップ部は、煙返しの下端に係止される係止部を備えていることを特徴とする。
【発明の効果】
【０００７】
本発明によれば、小口キャップを、煙返しに対して強固に取付けることができ、小口キャップの変形や脱落を防止することができる。
【図面の簡単な説明】
【０００８】
【図１】本発明の実施形態に係るドアの全体斜視図である。
【図２】本発明の実施形態に係るドアの要部、図１におけるＡにより示す部分を室外側から見た斜視図である。
【図３】（ａ）は、本発明の実施形態に係るドアの小口キャップの斜視図、（ｂ）は、その要部の拡大図である。
【図４】（ａ）は、本発明の実施形態に係るドアの小口キャップの平面図、（ｂ）は、正面図、（ｃ）は、側面図である。
【図５】本発明の実施形態に係るドアの小口キャップを取付ける前の召合せ縦框と小口キャップの斜視図である。
【図６】（ａ）は、本発明の実施形態に係るドアの小口キャップが取付けられる前の縦框の平面図、（ｂ）は、本発明の実施形態に係るドアの小口キャップを取付けた状態の縦框の平面図である。
【図７】（ａ）は、本発明の実施形態に係るドアの小口キャップが取付けられる前の縦框の下部正面図、（ｂ）は、本発明の実施形態に係るドアの小口キャップを取付けた状態の縦框の下部正面図である。
【発明を実施するための形態】
【０００９】
−本発明の実施形態−
（全体の構成）
本発明を、図１に示す主ドア本体２と副ドア本体３とからなるドアを用いて説明する。本発明の実施形態のドアは、左右の縦枠１３，１４に上枠１１及び下枠１２を突き合わせて固定してなる開口枠１と、上下框２１，２２及び左右縦框２３，２４とを四周に組んでその内周にパネル２５が嵌め込まれてなる主ドア本体２と、上下框３１，３２及び左右縦框３３，３４とを四周に組んでその内周にパネル３５が嵌め込まれてなる副ドア本体３とから構成されている。そして、副ドア本体３の召合せ縦框３３の室内側に煙返し３３１を有しており、召合せ縦框３３の下面及び煙返し３３１の下面を覆うように小口キャップ４が取付けられている。
【００１０】
（召合せ部下部の構成）
図２に示すように、下枠１２は、開口部の内周を覆う下枠本体部１２１と、下枠本体部１２１の室内側より立ち上がりドア本体の下辺が当接する下枠戸当り部１２２とからなり、下枠戸当り部１２２には、室外側に向かって下タイト材５２が下枠１２の長さ方向に沿って配置されている。
【００１１】
副ドア本体３の召合せ縦框３３には、その戸先側室内側面より室内側に向かってＬ字状の煙返し３３１が形成されており、ドアの閉鎖時において主ドア本体２の召合せ縦框２４と副ドア本体３との召合せ縦框２３との間が直線的に連通することを防止している。
【００１２】
副ドア本体３に設けられた煙返し３３１は、召合せ縦框３３の下端より所定寸法上方位置までしか形成されておらず、開口枠１の下枠１２との干渉を防止している。そして、煙返し３３１の室外側面には室外側へ向けて縦タイト材５３が設けられ、召合せ部を気密している。
【００１３】
召合せ縦框３３の下部には、小口キャップ４が装着されている。小口キャップは、合成ゴム等の軟質部材からなり、召合せ縦框３３の下端の小口を覆う本体部４１と、煙返し３３１の下面を覆う煙返しキャップ部４３と、本体部４１と煙返しキャップ部４３とを連結する立壁部４２とから構成されている。
【００１４】
立壁部４２は、その上方が煙返し３３１の室外側面に配置された縦タイト材５３に当接し、下方位置において、開口枠１の下枠１２の室外側面に配置された下タイト材５２と当接しており、両タイト材を連続して主ドア本体２の召合せ部下部の気密状態を維持している。
【００１５】
（小口キャップの構成）
図３，４を参考にして小口キャップ４の構成を説明する。
小口キャップ４の本体部４１は、平面視で召合せ縦框３３の小口面と略同様の矩形形状をした平板部４１ａと、小口キャップ４を召合せ縦框３３に係止するため係止手段からなり、係止手段は、平板部４１ａの内周側の上面に見込み方向に対に設けられた内周側係止部４１ｂ，４１ｃと、平板部４１ａの外周側端の上面に設けられた外周側係止壁４１ｄとにより構成されている。
【００１６】
内周側係止部４１ｂ，４１ｃの先端には、後述する裏板６の係止孔６２ａ，６２ａに契合する係止爪４１１ｂ、４１１ｃが形成されており、外周側係止壁４１ｄの内周面には召合せ縦框３３の下部外周面に形成された係止孔３３ａに係止する係止突部４１ｉが形成されている。
【００１７】
さらに、本体部４１の平板部４１ａの上面には、召合せ縦框３３の下面より挿入され召合せ縦框３３の内側より室内外側面に当接する側壁４１ｅ，４１ｆが形成されているとともに、外周側係止壁４１ｄの内周側位置には、外周側係止壁４１ｄと協働して召合せ縦框３３の外周側の壁を挟み込む小突起４１ｇ，４１ｈが突設されている。また、平板部４１ａの中央にはフランス落しを通すための孔が形成されている。なお、フランス落しについては本件の発明の詳細な説明及び図面における記載は省略している。
【００１８】
平板部４１ａの室内側外周部に連続して略矩形板状の立壁部４２が形成されており、外周側係止壁４１ｄが室内側に延びて立壁部４２に連結されている。
【００１９】
立壁部４２の上端に連続して煙返しキャップ部４３が設けられている。煙返しキャップ部４３は、煙返し３３１の下端面を覆う底部４３ａと、底部４３ａの室外側を除く外周より立設されて煙返し３３１の下端部を室内側より覆う外周壁部４３ｂと、底部４３ａの外周壁部４３ｂの内周位置より立設されて煙返し３３１の下端部の内周側に当接する内周壁部４３ｃとから構成されている。
【００２０】
内周壁部４３ｃは、Ｌ字状の煙返し３３１を内周側より覆うように、立壁部４２の位置から室内方向へ延びる見込み壁部と４３１ｃと見込み壁部４３１ｃの室内側端部より戸先側に延設される見付け壁部４３２ｃとにより平面視Ｌ字状に構成されている。
【００２１】
内周壁部４３ｃの見込み壁部４３１ｃと、それに対向する外周壁部４３ｂには、下方に向かってその距離が狭くなるくさび部４３ｆが形成されており、煙返し３３１の見込み壁部が圧入されるように構成されていると共に、内周壁部４３ｃの見付け壁部４３２ｃには、煙返し３３１に形成された係合孔に係合する係止部４３ｄが形成され、外周壁部４３ｂと協働して煙返し３３１の下端に係止保持されるように構成されている。
【００２２】
底部４３ａの内周壁部より室外側の部位は、室外方向に向かって下方に傾斜する傾斜部４３ｅが形成され、煙返し３３１に生じる結露水等を室外側へ排水するように形成されている。
【００２３】
（小口キャップの取付構造）
図５〜７を参考にして小口キャップ４の取付構成を説明する。
小口キャップ４を召合せ縦框３３に取付けるために、召合せ縦框３３の下方小口には裏板６が固定される。裏板６は、図示しないロッドガイドを固定するための本体部６１と召合せ縦框３３の内周側の壁にネジ等により固定される取付板６２とからなる。本体部６１には、フランス落としを通す挿通孔６１ａとロッドガイドを取り付けるためにビス孔が形成されており、取付板６２には、小口キャップ４の内周側係止部４１ｂ，４１ｃが係止される係止孔６２ａ，６２ａが形成されている。
【００２４】
小口キャップ４は、本体部に立設された内周側係止部４１ｂ，４１ｃを召合せ縦框３３の下部小口内に挿入して裏板６の係止孔６２ａ，６２ａに係止爪４１１ｂ，４１１ｃを係止するとともに、外周側係止壁４１ｄの係止突部４１ｉを召合せ縦框３３の外周面に形成された係止孔３３ａに係止することにより、召合せ縦框３３にビス等を用いることなく装着している。
【００２５】
そして、小口キャップ４の側壁４１ｅ，４１ｆと小突起４１ｇ，４１ｈが召合せ縦框３３の下部小口内に挿入され、それぞれ召合せ縦框３３の内側より当接することにより、召合せ縦框３３の小口に対して小口キャップ４の本体部４１をがたつき無く装着することができる。
【００２６】
同時に、煙返し３３１の下端部に対して、小口キャップ４の煙返しキャップ部４３に形成された外周壁部４３ｂと内周壁部４３ｃが煙返し３３１を挟み込むようにして装着される。内周壁部４３ｃの見込み壁部４３１ｃとそれに対向する外周壁部４３ｂにはくさび部４３ｆが形成されているので、煙返し３３１を強固に挟み込み、さらに、内周壁部４３ｃに形成された係止部４３ｄが煙返し３３１の下端部に形成された係止孔３３１ａに係合することにより、煙返しキャップ部４３自体が煙返し３３１に対して強固に装着される。
【００２７】
−本発明の実施形態による作用・効果−
以上のように、本発明の実施形態のドアは、召合せ部の縦タイト材が召合せ縦框の煙返しに室外側に向けて配置されて対向するドア本体の室内側面に当接するので、例えば、ドア本体の取付けがゆがんで召合せ部の上方もしくは下方の隙間が広がっても、召合せ部の気密状態を良好に維持することができるが、そのような縦タイト材であっても、小口キャップを介して、良好に下タイト材とを連続することができる。
【００２８】
また、小口キャップを、召合せ縦框にビス等を用いないで取付けることができるので、施工が容易になるとともに、小口キャップが経年変化により劣化した場合であっても、その取り替えが容易である。
【００２９】
そして、小口キャップの煙返しキャップ部に内周壁部を設けることにより、煙返しキャップ部自体が煙返しを内外方向より挟んで装着されて、立壁部から片持ち状態に形成されている煙返しキャップ部が人の足先等に当たって撓んだり、また、ビスを用いることなく装着しても、容易に外れたりすることが防止できる。
【００３０】
さらに、煙返しキャップ部の底部上面に傾斜部が形成されているので、煙返しに生じた結露水や雨水は速やかに排水され、小口キャップの上面を清潔に保つことができる。
【００３１】
なお、本実施形態においては、煙返しキャップ部に設けられ煙返しの下端部分に係止される係止部は、内周壁部４１ｃに設けられていることに限定されるものではなく、例えば、煙返しに配置される縦タイト材を取付けるための係止溝に係合する突起のように、煙返しに対して煙返しキャップ部を保持するものであればどのような構成のものでもよい。
【符号の説明】
【００３２】
１  開口枠
１１  上枠
１２  下枠
１２１  下枠本体部
１２２  下枠戸当り部
１３  縦枠
１４  縦枠
２  主ドア本体（障子）
２１  上框
２２  下框
２３  縦框
２４  召合せ縦框
２５  パネル
３  副ドア本体（障子）
３１  上框
３２  下框
３３  召合せ縦框
３３ａ  係止孔
３３１  煙返し
３３１ａ  係止孔
３４  縦框
３５  パネル
４  小口キャップ
４１  本体部
４１ａ  平板部
４１ｂ  内周側係止部
４１１ｂ  係止爪
４１ｃ  内周側係止部
４１１ｃ  係止爪
４１ｄ  外周側係止壁
４１ｅ，４１ｆ  側壁
４１ｇ，４１ｈ  小突起
４１ｉ  係止突部
４２  立壁部
４３  煙返しキャップ部
４３ａ  底部
４３ｂ  外周壁部
４３ｃ  内周壁部
４３１ｃ  見込み壁部
４３２ｃ  見付け壁部
４３ｄ  係止部
４３ｅ  傾斜部
４３ｆ  くさび部
５２  下タイト材
５３  縦タイト材
６  裏板
６１  本体部
６１ａ  挿通孔
６２  取付板
６２ａ  係止孔
【図１】
2015203254.tif 000003
【図２】
2015203254.tif 000004
【図３】
2015203254.tif 000005
【図４】
2015203254.tif 000006
【図５】
2015203254.tif 000007
【図６】
2015203254.tif 000008
【図７】
2015203254.tif 000009